(57)【要約】【課題】プレス金型の清掃を飛躍的に短時間で簡素化させメンテナンスコストの低減と生産性の向上を目的とするものである。【解決手段】金型をプレス機に装着したままでストリッパープレート１０を上昇させることにより、パンチ１５の側面に付着した材料カス４０１を金型をプレス機から取り外すことなく清掃することが可能となり、プレス金型の清掃を飛躍的に短時間で簡素化させ、メンテナンスコストの低減と生産性が向上できるものである。【選択図】図１
2006102801.tif 000002
【特許請求の範囲】
【請求項１】
プレス機に金型を取り付けたまま、プレス金型のストリッパープレートを上昇することにより、パンチをストリッパープレートより突き出し、パンチ先端に付着した切断カスを清掃することができるストリッパープレート上昇部材を有した上金型を、下金型に対向して配置したプレス金型。
【請求項２】
プレス機に金型を取り付けたまま、プレス金型のストリッパープレートを上昇させるストリッパープレート上昇部材を有したプレス金型を設けたことを特徴とするプレス装置。
【発明の詳細な説明】
【技術分野】
【０００１】
本発明は、金属及びその他の材料に対して所定の加工を行う為に使用するプレス金型及びプレス装置に関するものである。
【背景技術】
【０００２】
従来、金属及びその他の材料に対して所定の加工を行うためのプレス金型及びプレス装置は図２に示されるような構成を有していた。
【０００３】
図２は従来のプレス金型及びプレス装置の要部断面図である。
【０００４】
図２において１はプレス機ボルスター、２はプレス機ラムである。３はプレス機ボルスター１に固定された金型ダイホルダー、４はダイホルダー３に固定された下バッキングプレート、５は下バッキングプレート４上に固定された下金型となるダイプレートである。ダイプレート５には金属及びその他の材料６に対して所定の加工を行う為のダイ工具部５ａが一体又は分割構造で構成されている。
【０００５】
７はプレス機ラム２に固定された金型パンチホルダー、８はパンチホルダー７に固定された上バッキングプレート、９は上バッキングプレート８下面に固定された上金型となるパンチプレートである。１０はストリッパープレートでフランジ付きスリーブ１１とボルト１２により構成されたブッシュ式ストリッパーボルトによって、パンチホルダー７と上バッキングプレート８とパンチプレート９により構成されている上型に吊り下げられた状態で保持されている。このストリッパープレートの保持方法は一例であり、その他一般的な保持方法についてはあえて明記しないものとする。ストリッパープレート１０は、ボルト１２、フランジ付きスリーブ１１を介して、パンチホルダー７内においてスクリュープラグ１３により押え付けられたスプリング１４より押えられている。
【０００６】
１５はパンチで、金属及びその他の材料６を所定の加工を行う為のダイ工具部５ａと共に、金属及びその他の材料６に所定の加工を行うものである。パンチ１５は、パンチプレート９に保持されており、ストリッパープレート１０は、パンチ１５が通るストリッパープレートパンチ用貫通穴１０ａを有している。
【０００７】
参考の為、図３にプレス機ラム２が下降し金属及びその他の材料６がパンチ１５とダイ工具部５ａとにより打抜き加工がなされた加工状態の要部断面図を示す。３０１は打抜かれた材料の一例である。
【０００８】
上記内容はプレス金型及びプレス装置に関係している者にとっては非常に一般的な事項であり、上記の他にもさまざまな構成のプレス金型及びプレス機があることは言うまでもない。
【０００９】
なお、この出願に関する先行技術文献情報としては、例えば特許文献１が知られている。
【特許文献１】特公平７−１６７２１号公報
【発明の開示】
【発明が解決しようとする課題】
【００１０】
しかしながら、前記従来のプレス金型及びプレス装置の構成では、加工時に発生しパンチ１５の側面などに付着する材料カス４０１が、パンチ１５とストリッパープレートパンチ用貫通穴１０ａとの隙間に蓄積されるという課題を有しており、材料カス４０１の清掃をする為には、金型をプレス機より取り外しストリッパープレート１０を上型から取り外さなければならないという課題を有していた。
【００１１】
図４に材料カス４０１の蓄積状態についての一例を示す。
【００１２】
本発明は、前記課題を解決するもので、プレス金型をプレス機に装着したままでスプリング１４を撓ませてストリッパープレート１０を上昇させることにより、ストリッパープレート１０よりパンチ１５を突出させ、パンチ１５の側面に付着している材料カス４０１を清掃することを可能とするもので、プレス金型の清掃を飛躍的に短時間で簡素化させ、メンテナンスコストの低減と生産性の向上を実現することを目的とするものである。
【課題を解決するための手段】
【００１３】
前記目的を達成するために、本発明は以下の構成を有する。
【００１４】
本発明の請求項１に記載の発明は、ストリッパープレートのみを上昇させる為のストリッパープレート上昇ボルトをストリッパープレートを上型に吊り下げるボルトと兼用あるいは、別物で装備することにより金型をプレス機に装着したままでストリッパープレートを上昇させることが可能となり、パンチの側面に付着した材料カスを清掃することを金型をプレス機から取り外すことなく可能となる為、プレス金型の清掃を飛躍的に短時間で簡素化させ、メンテナンスコストの低減と生産性が向上できるという作用効果が得られる。
【発明の効果】
【００１５】
以上のように本発明によれば、金型をプレス機に装着したままでストリッパープレートを上昇させることが可能となり、パンチの側面に付着した材料カスの清掃が金型をプレス機から取り外すことなく可能となる為、プレス金型の清掃を飛躍的に短時間で簡素化させ、メンテナンスコストの低減と生産性を向上させることができるという効果を有するものである。
【発明を実施するための最良の形態】
【００１６】
（実施の形態１）
以下、実施の形態１を用いて、本発明の請求項１に記載の発明について説明する。
【００１７】
図１は本発明の実施の形態１におけるプレス金型及びプレス装置の要部断面図である。
【００１８】
図１において、１１２がストリッパープレート１０を上型に吊り下げている特殊ボルトであり、特殊ボルト１１２の頭部には六角レンチ用穴とタップを有している。この特殊ボルト１１２の頭部タップにストリッパープレート上昇部材となるストリッパープレート上昇用ボルト２０１をプレス機ラム２の貫通穴とスクリュープラグ１３の貫通穴及びスプリング１４の内側を通して装着する。このストリッパープレート上昇ボルト２０１を上昇させることによりストリッパープレート１０よりパンチ１５を突出させ、パンチ１５の側面に付着している材料カス４０１を清掃することを可能とする。
【００１９】
図５は特殊ボルト１１２を使用しない機構の一実施例を示す要部断面図で、ロングタイプストリッパープレート上昇用ボルト５０１をストリッパープレート１０に直接固定した構造である。
【００２０】
また、ストリッパープレート上昇用ボルト２０１を上昇させる機構については、さまざまな方法があることは言うまでもないが、一事例を図６を用いて説明する。図６はストリッパープレート上昇機構の一事例を示す要部断面図で、ストリッパープレート上昇用ボルト２０１を貫通する穴を有する上昇プレート６０２を上昇ネジ６０１を回転させることにより、上昇ネジ６０１に加工されたネジ部が上昇プレート６０２に加工されたネジ部を介して上昇プレート６０２を上昇させる機構である。下降させる時は上昇ネジ６０１を逆回転させることにより可能である。
【００２１】
この他にも、上昇機構としてはテコ式などを用いた方法やその他多くの上昇機構が考えられることや、金型清掃後にストリッパープレートを元の位置に下降させることが可能なことは言うまでもないことである。
【００２２】
以上のように本発明のプレス金型及びプレス装置によれば、金型をプレス機に装着したままでストリッパープレートを上昇させることが可能となり、パンチの側面に付着した材料カスを清掃することを金型をプレス機から取り外すことなく可能となる為、プレス金型の清掃を飛躍的に短時間で簡素化させ、メンテナンスコストの低減と生産性の向上を実現することができるという効果が得られるものである。
【産業上の利用可能性】
【００２３】
本発明におけるプレス金型及びプレス装置は、金型をプレス機に装着したままでストリッパープレートを上昇させることが可能となり、パンチの側面に付着した材料カスを清掃することを金型をプレス機から取り外すことなく可能となる為、プレス金型の清掃を飛躍的に短時間で簡素化させ、メンテナンスコストの低減と生産性が向上できるという効果を有し、金属及びその他の材料に対して所定の加工を行うために使用するプレス金型及びプレス装置などとして有用である。
【図面の簡単な説明】
【００２４】
【図１】本発明の実施の形態におけるプレス金型及びプレス装置の要部断面図
【図２】従来のプレス金型及びプレス装置の要部断面図
【図３】加工状態の要部断面図
【図４】材料カスの蓄積状態についての一例を示す要部断面図
【図５】本発明の実施の形態における一実施例を示す要部断面図
【図６】本発明の実施の形態におけるストリッパープレート上昇機構の一事例を示す要部断面図
【符号の説明】
【００２５】
１  プレス機ボルスター
２  プレス機ラム
３  ダイホルダー
４  下バッキングプレート
５  ダイプレート
５ａ  ダイ工具部
６  金属及びその他の材料
７  パンチホルダー
８  上バッキングプレート
９  パンチプレート
１０  ストリッパープレート
１０ａ  ストリッパープレートパンチ用貫通穴
１１  フランジ付きスリーブ
１２  ボルト
１３  スクリュープラグ
１４  スプリング
１５  パンチ
１１２  特殊ボルト
２０１  ストリッパープレート上昇用ボルト
３０１  打ち抜かれた材料の一例
４０１  材料カス
５０１  ロングタイプストリッパープレート上昇用ボルト
６０１  上昇ネジ
６０２  上昇プレート
【図１】
2006102801.tif 000003
【図２】
2006102801.tif 000004
【図３】
2006102801.tif 000005
【図４】
2006102801.tif 000006
【図５】
2006102801.tif 000007
【図６】
2006102801.tif 000008